(57)【特許請求の範囲】
【請求項１】
配信サーバから配信される符号化映像データを、１つのマスタ再生端末と少なくとも１つ以上のスレーブ再生端末とにより分割表示させる映像分割再生方法であって、
前記配信サーバと前記マスタ再生端末及び前記１つ以上のスレーブ再生端末とは、広域ネットワークを介して接続され、
前記マスタ再生端末と前記スレーブ再生端末とは、前記広域ネットワークから独立した、限られた範囲内のネットワークを介して接続され、
前記マスタ再生端末が、前記配信サーバに保持されている、少なくとも、符号化映像データの存在場所と、前記１つのマスタ再生端末と前記少なくとも１つ以上のスレーブ再生端末の台数に応じた映像の表示画面上の縦横分割数と、映像全体に対する部分的に選択した映像の位置を示す選択領域情報とを含むマルチビュー再生情報を、前記広域ネットワークを介して要求し、該要求に応じて前記配信サーバから送信されるマルチビュー再生情報を、前記広域ネットワークを介して受信するステップと、
前記マスタ再生端末が、前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するステップと、
前記マスタ再生端末が、前記配信サーバから受信したマルチビュー再生情報の要求指示を、前記限られた範囲内のネットワークを介して、前記１つ以上のスレーブ再生端末に送信するステップと、
前記１つ以上のスレーブ再生端末が、前記マスタ再生端末からのマルチビュー再生情報の要求指示に基づいて、前記広域ネットワークを介して、前記配信サーバにマルチビュー再生情報要求を送信し、該マルチビュー再生情報要求に応じて前記配信サーバからのマルチビュー再生情報を、前記広域ネットワークを介して受信するステップと、
前記１つ以上のスレーブ再生端末が、受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するステップと、
前記１つ以上のスレーブ再生端末が、前記配信サーバから配信される符号化映像データを受信すると、前記マスタ再生端末に符号化映像データ受信開始通知を、前記限られた範囲内のネットワークを介して送信するステップと、
前記マスタ再生端末が、前記１つ以上のスレーブ再生端末全てから符号化映像データ受信開始通知を受信すると、受信したマルチビュー再生情報に含まれる選択領域情報に基づいて、前記１つ以上のスレーブ再生端末毎に再生すべき分割領域を示す再生領域情報を生成するステップと、
前記マスタ再生端末が、前記再生領域情報を、前記限られた範囲内のネットワークを介して前記１つ以上のスレーブ再生端末に送信するステップと、
前記マスタ再生端末と前記１つ以上のスレーブ再生端末とがそれぞれの内部時計を同期させるステップと、
前記マスタ再生端末と前記１つ以上のスレーブ再生端末とが、それぞれの内部時計が復号化開始時刻になると、それぞれの再生領域情報に基づいて前記符号化映像データの復号化を開始し、それぞれが再生すべき分割映像を切り出し、該切り出した分割映像をそれぞれの表示部で同期させて再生表示するステップと
を含むことを特徴とする映像分割再生方法。
【請求項２】
前記マルチビュー再生情報は、前記符号化映像データの再生手順が記述されたシナリオ情報を更に含み、
前記マスタ再生端末と前記１つ以上のスレーブ再生端末とが、復号化され、これから表示する符号化映像データの再生時間とシナリオ情報に記載されている再生時間とから、これに対応する選択領域情報を取得し、該選択領域情報と再生領域情報とに基づいて、前記符号化映像データの復号化を開始し、それぞれが再生すべき分割映像を切り出し、該切り出した分割映像をそれぞれの表示部で同期させて再生表示するステップと
を更に含むことを特徴とする請求項１に記載の映像分割再生方法。
【請求項３】
前記マスタ再生端末と前記１つ以上のスレーブ再生端末とが、それぞれの内部時計の計時時間に基づいて、所定の時間毎に、復号化された符号化映像データの再生時間を確認するステップと、
前記スレーブ再生端末が、確認した時の内部時計の時間とその時の復号化された符号化映像データの再生時間とを、前記限られた範囲内のネットワークを介して前記マスタ再生端末へ送信するステップと、
前記マスタ再生端末が、マスタ再生端末とスレーブ再生端末とで確認した時の前記内部時計の時間と、前記復号化された符号化映像データの再生時間とを比較し、該比較結果を送信元のスレーブ再生端末へ送信するステップと、
前記送信元のスレーブ再生端末が、前記マスタ再生端末と再生時間が同じであるという比較結果が得られたならば、そのまま再生を続けるステップと、
前記比較結果が前記マスタ再生端末より再生遅れの場合、遅れている時間分ジャンプ再生するステップと、
前記比較結果が前記マスタ再生端末より再生が進んでいる場合、先に進んでいる時間分再生を停止することを特徴とする請求項１または２に記載の映像分割再生方法。
【請求項４】
前記マスタ再生端末は、前記１つ以上のスレーブ再生端末のＩＰアドレス一覧表を保持し、前記マルチビュー再生情報に含まれる縦横分割数に基づいて、前記マスタ再生端末の選択領域を常に左上角とし、前記１つ以上のスレーブ再生端末の選択領域を前記ＩＰアドレス一覧の上から順番にラスタスキャン順に再生領域を割り振ることで、前記再生領域情報を作成することを特徴とする請求項１から３のいずれかに記載の映像分割再生方法。
【請求項５】
配信サーバから配信される符号化映像データを、１つのマスタ再生端末と少なくとも１つ以上のスレーブ再生端末とにより分割表示させる映像分割再生装置であって、
前記配信サーバと前記マスタ再生端末及び前記１つ以上のスレーブ再生端末とは、広域ネットワークを介して接続され、
前記マスタ再生端末と前記スレーブ再生端末とは、前記広域ネットワークから独立した、限られた範囲内のネットワークを介して接続され、
前記マスタ再生端末は、
前記配信サーバに保持されている、少なくとも、符号化映像データの存在場所と、前記１つのマスタ再生端末と前記少なくとも１つ以上のスレーブ再生端末の台数に応じた映像の表示画面上の縦横分割数と、映像全体に対する部分的に選択した映像の位置を示す選択領域情報とを含むマルチビュー再生情報を、前記広域ネットワークを介して要求し、該要求に応じて前記配信サーバから送信されるマルチビュー再生情報を、前記広域ネットワークを介して受信するマスタ側マルチビュー再生情報受信手段と、
前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するマスタ側符号化映像データ受信手段と、
前記受信したマルチビュー再生情報の要求指示を、前記限られた範囲内のネットワークを介して、前記１つ以上のスレーブ再生端末に送信するマルチビュー再生情報要求指示送信手段と、
前記１つ以上のスレーブ再生端末と同期するマスタ側内部時計と、
前記１つ以上のスレーブ再生端末全てから符号化映像データ受信開始通知を受信すると、受信したマルチビュー再生情報に含まれる選択領域情報に基づいて、前記１つ以上のスレーブ再生端末毎に再生すべき分割領域を示す再生領域情報を生成する再生領域情報生成手段と、
前記再生領域情報を、前記限られた範囲内のネットワークを介して前記１つ以上のスレーブ再生端末に送信する再生領域情報送信手段と、
復号化された映像を表示するマスタ側表示手段と、
前記マスタ側内部時計が復号化開始時刻になると、前記再生領域情報に基づいて、前記符号化映像データの復号化を開始し、再生すべき分割映像を切り出し、該切り出した分割映像を前記マスタ側表示手段で再生表示するマスタ側復号化手段と
を備え、
前記１つ以上のスレーブ再生端末は、
前記マスタ再生端末からのマルチビュー再生情報の要求指示に基づいて、前記広域ネットワークを介して、前記配信サーバにマルチビュー再生情報要求を送信し、該マルチビュー再生情報要求に応じて前記配信サーバからのマルチビュー再生情報を、前記広域ネットワークを介して受信するスレーブ側マルチビュー再生情報受信手段と、
前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するスレーブ側符号化映像データ受信手段と、
前記配信サーバから配信される符号化映像データを、前記広域ネットワークを介して受信すると、前記マスタ再生端末に前記限られた範囲内のネットワークを介して符号化映像データ受信開始通知を送信する符号化映像データ受信開始通知送信手段と、
前記マスタ再生端末と同期するスレーブ側内部時計と、
復号化された映像を表示するスレーブ側表示手段と、
前記スレーブ側内部時計が復号化開始時刻になると、前記再生領域情報に基づいて、前記符号化映像データの復号化を開始し、再生すべき分割映像を切り出し、該切り出した分割映像を前記スレーブ側表示手段で再生表示するスレーブ側復号化手段とを備えることを特徴とする映像分割再生装置。
【請求項６】
前記マルチビュー再生情報は、前記符号化映像データの再生手順が記述されたシナリオ情報を更に含み、
前記マスタ側復号化手段は、復号化され、これから表示する符号化映像データの再生時間とシナリオ情報に記載されている再生時間とから、これに対応する選択領域情報を取得し、該選択領域情報と再生領域情報とに基づいて、前記符号化映像データの復号化を開始し、再生すべき分割映像を切り出し、該切り出した分割映像を前記マスタ側表示手段で同期させて再生表示し、
前記スレーブ側復号化手段は、復号化され、これから表示する符号化映像データの再生時間とシナリオ情報に記載されている再生時間とから、これに対応する選択領域情報を取得し、該選択領域情報と再生領域情報とに基づいて、前記符号化映像データの復号化を開始し、それぞれが再生すべき分割映像を切り出し、該切り出した分割映像を前記スレーブ側表示手段で同期させて再生表示することを特徴とする請求項５に記載の映像分割再生装置。
【請求項７】
前記マスタ再生端末と前記１つ以上のスレーブ再生端末とは、各々、前記マスタ側内部時計の計時時間と前記スレーブ側内部時計の計時時間とに基づいて、所定の時間毎に、復号化された符号化映像データの再生時間を確認し、
前記１つ以上のスレーブ再生端末は、確認した時の内部時計の時間とその時の復号化された符号化映像データの再生時間とを、前記限られた範囲内のネットワークを介して前記マスタ再生端末へ送信し、
前記マスタ再生端末は、前記確認した時の前記マスタ側内部時計の時間と、前記復号化された符号化映像データの再生時間とを比較し、該比較結果を送信元のスレーブ再生端末へ送信し、
前記送信元のスレーブ再生端末は、前記マスタ再生端末と再生時間が同じであるという比較結果が得られたならば、そのまま再生を続け、前記比較結果が前記マスタ再生端末より再生遅れの場合、遅れている時間分ジャンプ再生し、前記比較結果が前記マスタ再生端末より再生が進んでいる場合、先に進んでいる時間分再生を停止する、
ことを特徴とする請求項５または６に記載の映像分割再生装置。
【請求項８】
前記マスタ再生端末は、前記１つ以上のスレーブ再生端末のＩＰアドレス一覧表を保持する保持手段を更に備え、
前記再生領域情報生成手段は、前記マルチビュー再生情報に含まれる縦横分割数に基づいて、前記マスタ再生端末の選択領域を常に左上角とし、前記１つ以上のスレーブ再生端末の選択領域を前記ＩＰアドレス一覧の上から順番にラスタスキャン順に再生領域を割り振ることで、前記再生領域情報を作成することを特徴とする請求項５から７のいずれかに記載の映像分割再生装置。
【請求項９】
配信サーバから配信される符号化映像データを、前記配信サーバと広域ネットワークを介して接続され、前記広域ネットワークから独立した、互いに限られた範囲内のネットワークを介して接続された、１つのマスタ再生端末と少なくとも１つ以上のスレーブ再生端末とにより分割表示させる映像分割再生装置のコンピュータに、
前記マスタ再生端末は、
前記配信サーバに保持されている、少なくとも、符号化映像データの存在場所と、前記１つのマスタ再生端末と前記少なくとも１つ以上のスレーブ再生端末の台数に応じた映像の表示画面上の縦横分割数と、映像全体に対する部分的に選択した映像の位置を示す選択領域情報とを含むマルチビュー再生情報を、前記広域ネットワークを介して要求し、該要求に応じて前記配信サーバから送信されるマルチビュー再生情報を、前記広域ネットワークを介して受信するマスタ側マルチビュー再生情報受信機能、
前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するマスタ側符号化映像データ受信機能、
前記受信したマルチビュー再生情報の要求指示を、前記限られた範囲内のネットワークを介して、前記１つ以上のスレーブ再生端末に送信するマルチビュー再生情報要求指示送信機能、
前記１つ以上のスレーブ再生端末と同期させたマスタ側内部時計機能、
前記１つ以上のスレーブ再生端末全てから符号化映像データ受信開始通知を受信すると、受信したマルチビュー再生情報に含まれる選択領域情報に基づいて、前記１つ以上のスレーブ再生端末毎に再生すべき分割領域を示す再生領域情報を生成する再生領域情報生成機能、
前記再生領域情報を、前記限られた範囲内のネットワークを介して前記１つ以上のスレーブ再生端末に送信する再生領域情報送信機能、
前記マスタ側内部時計が復号化開始時刻になると、前記再生領域情報に基づいて、前記符号化映像データの復号化を開始し、再生すべき分割映像を切り出し、該切り出した分割映像をマスタ側表示手段で再生表示するマスタ側復号化機能
を実現し、
前記１つ以上のスレーブ再生端末は、
前記マスタ再生端末からのマルチビュー再生情報の要求指示に基づいて、前記広域ネットワークを介して、前記配信サーバにマルチビュー再生情報要求を送信し、該マルチビュー再生情報要求に応じて前記配信サーバからのマルチビュー再生情報を、前記広域ネットワークを介して受信するスレーブ側マルチビュー再生情報受信機能、
前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するスレーブ側符号化映像データ受信機能、
前記配信サーバから配信される符号化映像データを、前記広域ネットワークを介して受信すると、前記マスタ再生端末に前記限られた範囲内のネットワークを介して符号化映像データ受信開始通知を送信する符号化映像データ受信開始通知送信機能、
前記マスタ再生端末と同期させたスレーブ側内部時計機能、
前記スレーブ側内部時計が復号化開始時刻になると、前記再生領域情報に基づいて、前記符号化映像データの復号化を開始し、再生すべき分割映像を切り出し、該切り出した分割映像をスレーブ側表示手段で再生表示するスレーブ側復号化機能とを実現させることを特徴とするプログラム。
【発明の詳細な説明】
【技術分野】
【０００１】
本発明は、一映像を分割して複数の端末で再生する映像分割再生方法、映像分割再生装置、及びプログラムに関する。
【背景技術】
【０００２】
複数の表示装置により一の画像を分割表示させる場合に、各表示装置の配置や数に応じて、適切な分割画像を作成して表示させるサーバ装置、表示装置及びその表示方法がある（例えば、特許文献１参照）。
【先行技術文献】
【特許文献】
【０００３】
【特許文献１】特開２００５−３０１１３１号公報
【発明の概要】
【発明が解決しようとする課題】
【０００４】
特許文献１の従来技術では、サーバ装置が各表示装置から受信した情報を基に、各表示装置に表示させるための分割画像作成処理を行っている。そのため、サーバの負荷が増大するという問題がある。
【０００５】
本発明は、このような事情を考慮してなされたものであり、その目的は、複数の表示装置により１つの画像を分割表示させる場合に、サーバの負荷を増大させること無く、また、各表示装置の配置や数に応じて、適切な分割画像を表示させることができる映像分割再生方法、映像分割再生装置、及びプログラムを提供することにある。
【課題を解決するための手段】
【０００６】
上述した課題を解決するために、本発明は、配信サーバから配信される符号化映像データを、１つのマスタ再生端末と少なくとも１つ以上のスレーブ再生端末とにより分割表示させる映像分割再生方法であって、前記配信サーバと前記マスタ再生端末及び前記１つ以上のスレーブ再生端末とは、広域ネットワークを介して接続され、前記マスタ再生端末と前記スレーブ再生端末とは、限られた範囲内のネットワークを介して接続され、前記マスタ再生端末が、前記配信サーバに保持されている、少なくとも、符号化映像データの存在場所と、前記１つのマスタ再生端末と前記少なくとも１つ以上のスレーブ再生端末の台数に応じた映像の表示画面上の縦横分割数と、映像全体に対する部分的に選択した映像の位置を示す選択領域情報とを含むマルチビュー再生情報を、前記広域ネットワークを介して要求し、該要求に応じて前記配信サーバから送信されるマルチビュー再生情報を、前記広域ネットワークを介して受信するステップと、前記マスタ再生端末が、前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するステップと、前記マスタ再生端末が、前記配信サーバから受信したマルチビュー再生情報の要求指示を、前記限られた範囲内のネットワークを介して、前記１つ以上のスレーブ再生端末に送信するステップと、前記１つ以上のスレーブ再生端末が、前記マスタ再生端末からのマルチビュー再生情報の要求指示に基づいて、前記広域ネットワークを介して、前記配信サーバにマルチビュー再生情報要求を送信し、該マルチビュー再生情報要求に応じて前記配信サーバからのマルチビュー再生情報を、前記広域ネットワークを介して受信するステップと、前記１つ以上のスレーブ再生端末が、受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するステップと、前記１つ以上のスレーブ再生端末が、前記配信サーバから配信される符号化映像データを受信すると、前記マスタ再生端末に符号化映像データ受信開始通知を、前記限られた範囲内のネットワークを介して送信するステップと、前記マスタ再生端末が、前記１つ以上のスレーブ再生端末全てから符号化映像データ受信開始通知を受信すると、受信したマルチビュー再生情報に含まれる選択領域情報に基づいて、前記１つ以上のスレーブ再生端末毎に再生すべき分割領域を示す再生領域情報を生成するステップと、前記マスタ再生端末が、前記再生領域情報を、前記限られた範囲内のネットワークを介して前記１つ以上のスレーブ再生端末に送信するステップと、前記マスタ再生端末と前記１つ以上のスレーブ再生端末とがそれぞれの内部時計を同期させるステップと、前記マスタ再生端末と前記１つ以上のスレーブ再生端末とが、それぞれの内部時計が復号化開始時刻になると、それぞれの再生領域情報に基づいて前記符号化映像データの復号化を開始し、それぞれが再生すべき分割映像を切り出し、該切り出した分割映像をそれぞれの表示部で同期させて再生表示するステップとを含むことを特徴とする映像分割再生方法である。
【０００７】
本発明は、上記の発明において、前記マルチビュー再生ファイルは、前記符号化映像データの再生手順が記述されたシナリオ情報を更に含み、前記マスタ再生端末と前記１つ以上のスレーブ再生端末とが、復号化され、これから表示する符号化映像データの再生時間とシナリオ情報に記載されている再生時間とから、これに対応する選択領域情報を取得し、該選択領域情報と再生領域情報とに基づいて、前記符号化映像データの復号化を開始し、それぞれが再生すべき分割映像を切り出し、該切り出した分割映像をそれぞれの表示部で同期させて再生表示するステップとを更に含むことを特徴とする。
【０００８】
本発明は、上記の発明において、前記マスタ再生端末と前記１つ以上のスレーブ再生端末とが、それぞれの内部時計の計時時間に基づいて、所定の時間毎に、復号化された符号化映像データの再生時間を確認するステップと、前記スレーブ再生端末が、確認した時の内部時計の時間とその時の復号化された符号化映像データの再生時間とを、前記限られた範囲内のネットワークを介して前記マスタ再生端末へ送信するステップと、前記マスタ再生端末が、マスタ再生端末とスレーブ再生端末とで確認した時の前記内部時計の時間と、前記復号化された符号化映像データの再生時間とを比較し、該比較結果を送信元のスレーブ再生端末へ送信するステップと、前記送信元のスレーブ再生端末が、前記マスタ再生端末と再生時間が同じであるという比較結果が得られたならば、そのまま再生を続けるステップと、前記比較結果が前記マスタ再生端末より再生遅れの場合、遅れている時間分ジャンプ再生するステップと、前記比較結果が前記マスタ再生端末より再生が進んでいる場合、先に進んでいる時間分再生を停止することを特徴とする。
【０００９】
本発明は、上記の発明において、前記マスタ再生端末は、前記１つ以上のスレーブ再生端末のＩＰアドレス一覧表を保持し、前記マルチビュー再生ファイルに含まれる縦横分割数に基づいて、前記マスタ再生端末の選択領域を常に左上角とし、前記１つ以上のスレーブ再生端末の選択領域を前記ＩＰアドレス一覧の上から順番にラスタスキャン順に再生領域を割り振ることで、前記再生領域情報を作成することを特徴とする。
【００１０】
また、上述した課題を解決するために、本発明は、配信サーバから配信される符号化映像データを、１つのマスタ再生端末と少なくとも１つ以上のスレーブ再生端末とにより分割表示させる映像分割再生装置であって、前記配信サーバと前記マスタ再生端末及び前記１つ以上のスレーブ再生端末とは、広域ネットワークを介して接続され、前記マスタ再生端末と前記スレーブ再生端末とは、限られた範囲内のネットワークを介して接続され、前記マスタ再生端末は、前記配信サーバに保持されている、少なくとも、符号化映像データの存在場所と、前記１つのマスタ再生端末と前記少なくとも１つ以上のスレーブ再生端末の台数に応じた映像の表示画面上の縦横分割数と、映像全体に対する部分的に選択した映像の位置を示す選択領域情報とを含むマルチビュー再生情報を、前記広域ネットワークを介して要求し、該要求に応じて前記配信サーバから送信されるマルチビュー再生情報を、前記広域ネットワークを介して受信するマスタ側マルチビュー再生情報受信手段と、前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するマスタ側符号化映像データ受信手段と、前記受信したマルチビュー再生情報の要求指示を、前記限られた範囲内のネットワークを介して、前記１つ以上のスレーブ再生端末に送信するマルチビュー再生情報要求指示送信手段と、前記１つ以上のスレーブ再生端末と同期するマスタ側内部時計と、前記１つ以上のスレーブ再生端末全てから符号化映像データ受信開始通知を受信すると、受信したマルチビュー再生情報に含まれる選択領域情報に基づいて、前記１つ以上のスレーブ再生端末毎に再生すべき分割領域を示す再生領域情報を生成する再生領域情報生成手段と、前記再生領域情報を、前記限られた範囲内のネットワークを介して前記１つ以上のスレーブ再生端末に送信する再生領域情報送信手段と、復号化された映像を表示するマスタ側表示手段と、前記マスタ側内部時計が復号化開始時刻になると、前記再生領域情報に基づいて、前記符号化映像データの復号化を開始し、再生すべき分割映像を切り出し、該切り出した分割映像を前記マスタ側表示手段で再生表示するマスタ側復号化手段とを備え、前記１つ以上のスレーブ再生端末は、前記マスタ再生端末からのマルチビュー再生情報の要求指示に基づいて、前記広域ネットワークを介して、前記配信サーバにマルチビュー再生情報要求を送信し、該マルチビュー再生情報要求に応じて前記配信サーバからのマルチビュー再生情報を、前記広域ネットワークを介して受信するスレーブ側マルチビュー再生情報受信手段と、前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するスレーブ側符号化映像データ受信手段と、前記配信サーバから配信される符号化映像データを、前記広域ネットワークを介して受信すると、前記マスタ再生端末に前記限られた範囲内のネットワークを介して符号化映像データ受信開始通知を送信する符号化映像データ受信開始通知送信手段と、前記マスタ再生端末と同期するスレーブ側内部時計と、復号化された映像を表示するスレーブ側表示手段と、前記スレーブ側内部時計が復号化開始時刻になると、前記再生領域情報に基づいて、前記符号化映像データの復号化を開始し、再生すべき分割映像を切り出し、該切り出した分割映像を前記スレーブ側表示手段で再生表示するスレーブ側復号化手段とを備えることを特徴とする映像分割再生装置である。
【００１１】
本発明は、上記の発明において、前記マルチビュー再生ファイルは、前記符号化映像データの再生手順が記述されたシナリオ情報を更に含み、前記マスタ側復号化手段は、復号化され、これから表示する符号化映像データの再生時間とシナリオ情報に記載されている再生時間とから、これに対応する選択領域情報を取得し、該選択領域情報と再生領域情報とに基づいて、前記符号化映像データの復号化を開始し、再生すべき分割映像を切り出し、該切り出した分割映像を前記マスタ側表示手段で同期させて再生表示し、前記スレーブ側復号化手段は、復号化され、これから表示する符号化映像データの再生時間とシナリオ情報に記載されている再生時間とから、これに対応する選択領域情報を取得し、該選択領域情報と再生領域情報とに基づいて、前記符号化映像データの復号化を開始し、それぞれが再生すべき分割映像を切り出し、該切り出した分割映像を前記スレーブ側表示手段で同期させて再生表示することを特徴とする。
【００１２】
本発明は、上記の発明において、前記マスタ再生端末と前記１つ以上のスレーブ再生端末とは、各々、前記マスタ側内部時計の計時時間と前記スレーブ側内部時計の計時時間とに基づいて、所定の時間毎に、復号化された符号化映像データの再生時間を確認し、前記１つ以上のスレーブ再生端末は、確認した時の内部時計の時間とその時の復号化された符号化映像データの再生時間とを、前記限られた範囲内のネットワークを介して前記マスタ再生端末へ送信し、前記マスタ再生端末は、前記確認した時の前記マスタ側内部時計の時間と、前記復号化された符号化映像データの再生時間とを比較し、該比較結果を送信元のスレーブ再生端末へ送信し、前記送信元のスレーブ再生端末は、前記マスタ再生端末と再生時間が同じであるという比較結果が得られたならば、そのまま再生を続け、前記比較結果が前記マスタ再生端末より再生遅れの場合、遅れている時間分ジャンプ再生し、前記比較結果が前記マスタ再生端末より再生が進んでいる場合、先に進んでいる時間分再生を停止する、ことを特徴とする。
【００１３】
本発明は、上記の発明において、前記マスタ再生端末は、前記１つ以上のスレーブ再生端末のＩＰアドレス一覧表を保持する保持手段を更に備え、前記再生領域情報生成手段は、前記マルチビュー再生ファイルに含まれる縦横分割数に基づいて、前記マスタ再生端末の選択領域を常に左上角とし、前記１つ以上のスレーブ再生端末の選択領域を前記ＩＰアドレス一覧の上から順番にラスタスキャン順に再生領域を割り振ることで、前記再生領域情報を作成することを特徴とする。
【００１４】
また、上述した課題を解決するために、本発明は、配信サーバから配信される符号化映像データを、前記配信サーバと広域ネットワークを介して接続され、互いに限られた範囲内のネットワークを介して接続された、１つのマスタ再生端末と少なくとも１つ以上のスレーブ再生端末とにより分割表示させる映像分割再生装置のコンピュータに、前記マスタ再生端末は、前記配信サーバに保持されている、少なくとも、符号化映像データの存在場所と、前記１つのマスタ再生端末と前記少なくとも１つ以上のスレーブ再生端末の台数に応じた映像の表示画面上の縦横分割数と、映像全体に対する部分的に選択した映像の位置を示す選択領域情報とを含むマルチビュー再生情報を、前記広域ネットワークを介して要求し、該要求に応じて前記配信サーバから送信されるマルチビュー再生情報を、前記広域ネットワークを介して受信するマスタ側マルチビュー再生情報受信機能、前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するマスタ側符号化映像データ受信機能、前記受信したマルチビュー再生情報の要求指示を、前記限られた範囲内のネットワークを介して、前記１つ以上のスレーブ再生端末に送信するマルチビュー再生情報要求指示送信機能、前記１つ以上のスレーブ再生端末と同期させたマスタ側内部時計機能、前記１つ以上のスレーブ再生端末全てから符号化映像データ受信開始通知を受信すると、受信したマルチビュー再生情報に含まれる選択領域情報に基づいて、前記１つ以上のスレーブ再生端末毎に再生すべき分割領域を示す再生領域情報を生成する再生領域情報生成機能、前記再生領域情報を、前記限られた範囲内のネットワークを介して前記１つ以上のスレーブ再生端末に送信する再生領域情報送信機能、前記マスタ側内部時計が復号化開始時刻になると、前記再生領域情報に基づいて、前記符号化映像データの復号化を開始し、再生すべき分割映像を切り出し、該切り出した分割映像を前記マスタ側表示手段で再生表示するマスタ側復号化機能を実現し、前記１つ以上のスレーブ再生端末は、前記マスタ再生端末からのマルチビュー再生情報の要求指示に基づいて、前記広域ネットワークを介して、前記配信サーバにマルチビュー再生情報要求を送信し、該マルチビュー再生情報要求に応じて前記配信サーバからのマルチビュー再生情報を、前記広域ネットワークを介して受信するスレーブ側マルチビュー再生情報受信機能、前記受信したマルチビュー再生情報に含まれる符号化映像データの存在場所に基づいて、前記広域ネットワークを介して、前記配信サーバに映像配信要求を送信し、該映像配信要求に応じて前記配信サーバから配信される符号化映像データを、前記広域ネットワークを介して受信するスレーブ側符号化映像データ受信機能、前記配信サーバから配信される符号化映像データを、前記広域ネットワークを介して受信すると、前記マスタ再生端末に前記限られた範囲内のネットワークを介して符号化映像データ受信開始通知を送信する符号化映像データ受信開始通知送信機能、前記マスタ再生端末と同期させたスレーブ側内部時計機能、前記スレーブ側内部時計が復号化開始時刻になると、前記再生領域情報に基づいて、前記符号化映像データの復号化を開始し、再生すべき分割映像を切り出し、該切り出した分割映像を前記スレーブ側表示手段で再生表示するスレーブ側復号化機能とを実現させることを特徴とするプログラムである。
【発明の効果】
【００１５】
この発明によれば、複数の表示装置により１つの画像を分割表示させる場合に、サーバの負荷を増大させること無く、また、各表示装置の配置や数に応じて、適切な分割画像を表示させることができる。
【図面の簡単な説明】
【００１６】
【図１】本発明の実施形態によるシステム（分割再生）の構成を示すブロック図である。
【図２】本実施形態によるマルチビュー再生ファイルを説明するための概念図である。
【図３】本実施形態によるスレーブ再生端末を区別するためのＩＰアドレスを説明するための図である。
【図４】本実施形態による、再生領域情報を説明するための概念図である。
【図５】本実施形態による、各再生端末４０、５０、６０、７０での再生担当領域を説明するための概念図である。
【図６】本実施形態による、メイン再生端末の同期再生制御部での再生時間比較による再生端末間同期再生制御を説明するための概念図である。
【図７】本実施形態の動作（分割再生開始）を説明するためのフローチャートである。
【図８】本実施形態の動作（分割再生開始）を説明するためのフローチャートである。
【図９】本実施形態の動作（分割再生開始）を説明するためのフローチャートである。
【図１０】本実施形態の動作（分割再生開始）を説明するためのフローチャートである。
【図１１】本実施形態の動作（分割再生開始）を説明するためのフローチャートである。
【図１２】本実施形態の動作（分割再生開始）を説明するためのフローチャートである。
【図１３】本実施形態の動作（シナリオによる分割再生）を説明するためのフローチャートである。
【図１４】本実施形態の動作（シナリオによる分割再生）を説明するためのフローチャートである。
【図１５】本実施形態の再生端末間の同期制御の動作を説明するためのフローチャートである。
【図１６】本実施形態の再生端末間の同期制御の動作を説明するためのフローチャートである。
【発明を実施するための形態】
【００１７】
以下、本発明の一実施形態を、図面を参照して説明する。
【００１８】
図１は、本発明の実施形態によるシステム（分割再生）の構成を示すブロック図である。図において、配信サーバ２０は、受信部２１、再生データ保存部２２、送信部２３から構成される。受信部２１は、広域のネットワーク（Ａ）３０を介してマスタ再生端末４０、スレーブ再生端末５０、６０、７０から要求を受信し、受信した要求を再生データ保存部２２に通知する。再生データ保存部２２は、受信部２１から受け取った要求に応じたデータを読み出し、送信部２３に送る。
【００１９】
再生データ保存部２２には、少なくともマルチビュー再生ファイルと符号化映像データとが蓄積されている。マルチビュー再生ファイルは、少なくとも符号化映像データの存在場所、再生映像の分割数（縦、横）、再生時間、選択領域情報とその領域の再生時間によるシナリオが記載されているテキストファイルである。
【００２０】
符号化映像データは、映像全体から見たい領域を、全体、または部分的に自由に選択するためのナビゲーション符号化映像データと、選択した領域を再生するためのメイン符号化映像データとの２つからなる。これらは、１つの符号化映像データとして再生データ保存部２２に蓄積されている。メイン符号化映像データは、ナビゲーション符号化映像データより解像度が高い映像である。
【００２１】
送信部２３は、再生データ保存部２２から読み出されたデータを受け取り、ネットワーク（Ａ）３０を介してマスタ再生端末４０、スレーブ再生端末５０、６０、７０へ配信する。配信サーバ２０とマスタ再生端末４０、スレーブ再生端末５０、６０、７０は、ネットワーク（Ａ）３０を介して繋がっている。ネットワーク（Ａ）３０は、広範囲に接続されるネットワークを意味している。
【００２２】
マスタ再生端末４０は、１台、スレーブ再生端末５０、６０、７０は、少なくとも１つ以上、本実施形態では、３台である。マスタ再生端末４０は、スレーブ再生端末５０、６０、７０を支配し、スレーブ再生端末５０、６０、７０間で映像の再生制御を行う。マスタ再生端末４０は、映像の再生開始、停止を行い、スレーブ再生端末５０、６０、７０は、マスタ再生端末４０に従う。
【００２３】
マスタ再生端末４０、スレーブ再生端末５０、６０、７０は、マスタ再生端末４０で生成された、スレーブ再生装置５０、６０、７０毎に再生すべき分割領域を示す選択領域情報に基づいて、メイン映像を分割して再生する。再生開始時は、初期値選択領域を使用し、コンテンツの先頭から開始する。マスタ再生端末４０が選択したシナリオと同じシナリオをスレーブ再生端末５０、６０、７０も再生する。
【００２４】
マスタ再生端末４０の電波時計４７、スレーブ再生端末５０、６０、７０の電波時計５７は、電波送信所１０から発信される標準電波を自動受信して各再生端末の日時修正を行い、各端末４０、５０、６０、７０は、指定時刻になった時、一斉に復号化を開始する。
【００２５】
マスタ再生端末４０は、再生要求部４１、同期再生制御部４２、送信部４３、受信部４４、復号部４５、表示部４６、電波時計４７から構成される。再生要求部４１は、マルチビュー再生ファイルＵＲＬを入力する。同期再生制御部４２は、全スレーブ再生端末５０、６０、７０のＩＰアドレス一覧表を保持している。同期再生制御部４２は、各再生端末が再生する領域の再生領域情報を作成する。同期再生制御部４２は、再生要求部４１、受信部４４、復号部４５からの要求制御と、受信部４４、復号部４５、送信部４３への要求制御を行う。
【００２６】
マスタ再生端末４０は、全スレーブ再生端末５０、６０、７０とネットワーク（Ｂ）３１を介してＴＣＰ/ＩＰ接続をする。これは、少なくとも、マルチビュー再生ファイルＵＲＬ、再生領域情報、選択したシナリオ選択情報、再生開始時刻、再生時間比較結果を各スレーブ再生端末５０、６０、７０へ送信するために用いる。スレーブ再生端末５０、６０、７０からは、再生準備完了通知、定期的に確認した再生時間、マスタ再生端末４０からの情報の受け取り返信に用いる。ネットワークＢは、家庭ＬＡＮ（Local Area Network）や、社内ＬＡＮなどのような特定の建物内、敷地内で使用する限られた範囲内のネットワークを意味している。
【００２７】
マスタ再生端末４０の送信部４３は、同期再生制御部４２からの要求を受け取り、要求内容によって配信サーバ２０、または、スレーブ再生端末５０、６０、７０へ送信する。より具体的には、送信部４３は、配信サーバ２０へは、ネットワーク（Ａ）３０を介して、マルチビュー再生ファイル配信要求、符号化映像データ配信要求を行う。スレーブ再生端末５０、６０、７０へは、ネットワーク（Ｂ）３１を介して、少なくともマルチビュー再生ファイルＵＲＬ、再生領域情報、再生開始時刻、再生時間比較結果、シナリオ選択情報を送信する。
【００２８】
受信部４４は、配信サーバ２０、スレーブ再生端末５０、６０、７０からのデータを受信し、受信したデータが符号化映像データの場合には、復号部４５へ送り、それ以外の場合には、同期再生制御部４２へ送る。
【００２９】
復号部４５は、受信部４４から符号化映像データを受け取り、受け取った符号化映像データのナビゲーション符号化映像データとメイン符号化映像データを復号化する。メイン符号化映像データの復号化は、選択領域情報とマスタ再生領域情報とを基に復号化し、さらに、マスタ再生領域値を基にマスタ再生領域映像を切り出す。さらに、復号部４５は、復号化したナビゲーション映像全体とメイン映像のマスタ再生領域映像とを表示部４６へ送る。
【００３０】
表示部４６は、復号部４５から復号化したナビゲーション映像全体とメイン映像のマスタ再生領域映像とを受け取り、再生を行う。
【００３１】
マスタ再生端末４０での、シナリオ１、シナリオ２のサムネイル再生は、復号部４５が復号化したナビゲーション映像からマルチビュー再生ファイルに記載されているシナリオ１、シナリオ２の選択領域情報を基にシナリオ１、シナリオ２の選択領域映像を切り出し、さらにサムネイル化する。
【００３２】
表示部４６は、サムネイル化されたシナリオ１、シナリオ２の選択領域映像を、復号部４５から受け取り、再生を行う。電波時計４７は、電波送信所１０から発信される標準電波を自動受信してマスタ再生端末４０の電波時計の日時修正を行う。
【００３３】
スレーブ再生端末５０、６０、７０は、各々、同一の構成であるので、スレーブ再生端末５０を例に説明する。スレーブ再生端末５０は、同期再生制御部５２、送信部５３、受信部５４、復号部５５、表示部５６、電波時計５７から構成される。本実施形態では、スレーブ再生端末は、３台であるが、３台とは限らない。
【００３４】
同期再生制御部５２は、受信部５４、復号部５５からの要求制御と、受信部５４、復号部５５、送信部５３への要求制御を行う。送信部５３は、同期再生制御部５２からの要求を受け取り、要求内容によって、配信サーバ２０、または、マスタ再生端末４０へ要求を送信する。配信サーバ２０へは、ネットワーク（Ａ）３０を介して、マルチビュー再生ファイル配信要求、符号化映像データ配信要求を行う。また、マスタ再生端末４０へは、ネットワーク（Ｂ）３１を介して、再生準備完了通知、定期的に確認した再生時間の送信、マスタ再生端末４０からの情報受け取り返信を行う。
【００３５】
受信部５４は、配信サーバ２０、マスタ再生端末４０からのデータを受信し、受信したデータが符号化映像データの場合には、復号部５５へ送り、それ以外の場合には、同期再生制御部５２へ送る。また、受信部５４は、ネットワーク（Ｂ）３１を介して、マスタ再生端末４０からマルチビュー再生ファイルＵＲＬ、自端末の再生領域情報、再生開始時刻、再生時間の比較結果、シナリオ選択情報を受け取る。
【００３６】
復号部５５は、受信部５４から符号化映像データを受け取り、受け取った符号化映像データのナビゲーション符号化映像データとメイン符号化映像データとを復号化する。メイン符号化映像データの復号化は、選択領域情報と、スレーブ再生端末５０（６０、７０）の再生領域情報を元に復号化し、さらに、スレーブ再生端末５０（６０、７０）の再生領域値に基づいて再生領域映像を切り出す。さらに、復号部５５は、復号化したナビゲーション映像全体とスレーブ再生端末５０（６０、７０）のメイン映像の再生領域映像を表示部５６へ送る。表示部５６は、復号部５５から復号化したナビゲーション映像全体とスレーブ再生端末５０（６０、７０）のメイン映像の再生領域映像とを受け取り、再生を行う。
【００３７】
スレーブ再生端末５０（６０、７０）での、シナリオ１、シナリオ２のサムネイル再生は、復号部５５が復号化したナビゲーション映像からマルチビュー再生ファイルに記載されているシナリオ１、シナリオ２の選択領域情報を基に選択領域映像を切り出し、さらにサムネイル化する。
【００３８】
表示部５６は、サムネイル化されたシナリオ１、シナリオ２の選択領域映像を、復号部５５から受け取り、再生を行う。電波時計５７は、電波送信所１０から発信される標準電波を自動受信してスレーブ再生端末の電波時計の日時修正を行う。マスタ再生端末４０、スレーブ再生端末５０（６０、７０）は、それぞれの電波時計が指定時刻になったとき、一斉に復号化を開始する。
【００３９】
電波送信所(標準周波数局)１０は、日本に２箇所あるうちのいずれか、あるいは双方であり、１０万年に１秒の誤差といわれるセシウム原子電波時計をもとに標準電波を送信する。
【００４０】
図２は、マルチビュー再生ファイルを説明するための概念図である。マルチビュー再生ファイルは、前述したように、配信サーバ２０の再生データ保存部２２に蓄積されているデータの１つであり、少なくとも符号化映像データの存在場所、再生映像の分割数（縦、横）、再生時間、選択領域情報とその領域の再生時間によるシナリオが記載されているテキストファイルである。
【００４１】
マルチビュー再生ファイルには、少なくとも、コンテンツＵＲＬ（符号化映像データが存在する場所、図示の例では、「ｒｔｓｐ：／／ＸＸＸ．ＸＸＸ．ＸＸＸ／符号化映像データ」）、縦分割数（選択領域の縦方向の分割数、図示の例では「２」）、横分割数（選択領域の横方向の分割数、図示の例では「２」）、再生区間（再生開始から再生終了時間、図示の例では、再生開始が「０」、再生終了が「１８００（ｍｓｅｃ）」が記載されている。さらに、シナリオ毎に、ＳＣＥＮＡＲＩＯ＿ＮＯに対して、選択領域情報、再生時間（ｍｓｅｃ）、選択領域変化、変化速度、及び変化量が、再生する順番に記載されている。
【００４２】
１つのマルチビュー再生ファイルには、１つのシナリオが記載されているとは限らず、図示の例のように、複数のシナリオが記載されている場合もある。シナリオの区別するために、本実施形態では、ＳＣＥＮＡＲＩＯ＿ＮＯに「１」から順番を番号付与するが、番号で有る必要はない。本実施形態では、シナリオは２つであるが、２つである必要はない。シナリオの終わりには、記号「＃」を記述する。
【００４３】
図３は、スレーブ再生端末を区別するためのＩＰアドレスを説明するための図である。スレーブ再生端末５０、６０、７０には、それぞれ固有のＩＰアドレスが割り当てられている。マスタ再生端末４０は、ＩＰアドレスによってスレーブ再生端末５０、６０、７０を識別する。
【００４４】
図４は、本実施形態による、再生領域情報を説明するための概念図である。図５は、各再生端末４０、５０、６０、７０での再生担当領域を説明するための概念図である。マスタ再生端末４０は、図２に示すマルチビュー再生ファイルに記載されている分割数に基づいて、メイン映像、ナビゲーション映像に対して、図３に示すスレーブ再生端末ＩＰアドレス一覧の上から順番に各再生端末５０、６０、７０の再生領域を割り振る。割り振り方は、図５に示すように、左上角は常にマスタ再生端末４０の領域、他を各スレーブ再生端末５０、６０、７０がラスタスキャン順となる。
【００４５】
つまり、マスタ再生端末４０の再生領域は、選択領域の４等分割の左上角、スレーブ再生端末５０の再生領域は、選択領域の４等分割の右上、スレーブ再生端末６０の再生領域は、選択領域の４等分割の左下、スレーブ再生端末７０の再生領域は、選択領域の４等分割の右下である。
【００４６】
本実施形態では、ナビゲーション映像の解像度が４００×２００で、ナビゲーション映像は、映像全体を再生し、再生中のナビゲーション映像全体から部分的に再生する領域を選択し、該選択した選択領域情報（Ｘ、Ｙ、幅、高さ）は、（３０，７０，２６０，１００）であり、これを４等分割している。ナビゲーション映像から見たメイン映像に対応する各再生領域値（Ｘ、Ｙ、幅、高さ）は、マスタ再生端末４０の再生領域値は、（３０，７０，１３０，５０）、スレーブ再生端末５０の再生領域値は、（１６０，７０，１３０，５０）、スレーブ再生端末６０の再生領域値は、（３０，１２０，１３０，５０）、スレーブ再生端末７０の再生領域値は、（１６０，１２０，１３０，５０）となる。
【００４７】
メイン映像の解像度が２０００×４０００の場合には、ナビゲーション映像の値からメイン映像の選択領域（Ｘ、Ｙ、幅、高さ）は、（３００，７００，２６００，１０００）となり、マスタ再生端末４０の再生領域値（Ｘ、Ｙ、幅、高さ）は、（３００，７００，１３００，５００）、スレーブ再生端末５０の再生領域値は、１６００，７００，１３００，５００、スレーブ再生端末６０の再生領域値は、（３００，１２００，１３００，５００）、スレーブ再生端末７０の再生領域値は、（１６００，１２００，１３００，５００）となる。
【００４８】
図６は、本実施形態による、マスタ再生端末の同期再生制御部での再生時間比較による再生端末間同期再生制御を説明するための概念図である。マスタ再生端末４０と各スレーブ再生端末５０、６０、７０の再生時間を確認した時の電波時計時間から、その時のメイン映像の再生時間を比較する。図示の例では、スレーブ再生端末５０は、マスタ再生端末の再生時間と同じであるため、そのまま再生する。スレーブ再生端末６０は、マスタ再生端末より０．５秒再生が遅れているため、０．５秒ジャンプ再生する。スレーブ再生端末７０は、マスタ再生端末より０．５秒再生が進んでいるため、０．５秒再生を停止する。再生時間とは、復号部４５、５５から表示部４６、５６へ送ったメイン映像の再生時間である。ただし、復号化された次に再生すべきナビゲーション映像とメイン映像が揃った時点で表示部４６、５６へ送っているため、どちらの映像を用いてもよい。
【００４９】
次に、本実施形態の動作について説明する。
なお、以下では、スレーブ再生端末として、スレーブ再生端末５０についてのみ説明するが、他のスレーブ再生端末６０、７０でも同様の動作を行うので、スレーブ再生端末５０の後ろに括弧で符号のみを示す。
【００５０】
図７〜図１２は、本実施形態の動作（分割再生開始）を説明するためのフローチャートである。マスタ再生端末４０は、同期再生制御部４２に保持されているスレーブ再生端末ＩＰアドレス一覧表を参照し、スレーブ再生端末５０（６０、７０）とネットワーク（Ｂ）３１を介して、ＴＣＰ／ＩＰ（Transmission Control Protocol/Internet Protocol）接続を行う（ステップ４０１）。該ＴＣＰ／ＩＰプロトコルを用いてマスタとスレーブ再生端末間の再生制御を行う。スレーブ再生端末ＩＰアドレス一覧表は、事前に設定してある。次に、再生要求部４１にマルチビュー再生ファイルＵＲＬを入力すると、再生要求部４１は、入力されたマルチビュー再生ファイルＵＲＬを同期再生制御部４２に送る（ステップ４０２）。
【００５１】
同期再生制御部４２は、再生要求部４１から入力されたマルチビュー再生ファイルＵＲＬを受け取り、受け取ったマルチビュー再生ファイルＵＲＬを送信部４３へ送る（ステップＳ４０３）。次に、送信部４３は、マルチビュー再生ファイルＵＲＬを同期再生制御部４２から受け取り、受け取ったＵＲＬのマルチビュー再生ファイル配信要求を、ネットワーク（Ａ）３０を介して、配信サーバ２０へ送信する（ステップ４０４）。
【００５２】
配信サーバ２０において、受信部２１は、ネットワーク（Ａ）３０を介して、マスタ再生端末４０からマルチビュー再生ファイルＵＲＬを受信し、再生データ保存部２２へ送る（ステップ４０５）。再生データ保存部２２は、受信部２１からマルチビュー再生ファイルＵＲＬを受け取り、受け取ったＵＲＬのマルチビュー再生ファイルを読み出し、送信部２３へ送信する（ステップ４０６）。送信部２３は、再生データ保存部２２からマルチビュー再生ファイルを受け取り、受け取ったマルチビュー再生ファイルを、ネットワーク（Ａ）３０を介してマスタ再生端末４０へ送信する（ステップ４０７）。
【００５３】
マスタ再生端末４０において、受信部４４は、ネットワーク（Ａ）３０を介して配信サーバ２０からマルチビュー再生ファイルを受信し、同期再生制御部４２へ送る（ステップ４０８）。同期再生制御部４２は、受信部４４からマルチビュー再生ファイルを受け取ると、マルチビュー再生ファイルの中に記載されているコンテンツＵＲＬの符号化映像データの配信要求を送信部４３へ送るとともに、マルチビュー再生ファイルを復号部４５へ送る（ステップ４０９）。送信部４３は、同期再生制御部４２から符号化映像データの配信要求を受け取り、受け取った符号化映像データの配信要求を、ネットワーク（Ａ）３０を介して配信サーバ２０へ送る（ステップ４１０）。
【００５４】
配信サーバ２０において、受信部２１は、ネットワーク（Ａ）３０を介してマスタ再生端末４０から符号化映像データの配信要求を受信し、受け取った符号化映像データの配信要求を再生データ保存部２２へ送る（ステップ４１１）。次に、再生データ保存部２２は、受信部２１から符号化映像データ配信要求を受け取り、要求された符号化映像データを読み出し、送信部２３へ送る（ステップ４１２）。送信部２３は、再生データ保存部２２から送られた符号化映像データを受け取り、受け取った符号化映像データを、ネットワーク（Ａ）３０を介してマスタ再生端末４０へ送信する（ステップ４１３）
【００５５】
マスタ再生端末４０において、受信部４４は、配信サーバ２０の送信部２３から送信された符号化映像データを、ネットワーク（Ａ）３０を介して受け取り、符号化映像データ受信開始を同期再生制御部４２へ通知し、また、復号部４５へ符号化映像データのナビゲーション符号化映像データとメイン符号化映像データとをそれぞれ１ＧＯＰのみ送る（ステップ４１４）。ＧＯＰは、一般的に、１５フレーム、０．５秒であるが、必ずしもその必要はない。このとき、復号部４５は、まだ復号しない。受信部４４は、バッファ残量から配信制御を行っているため、受信バッファが溢れることはない。
【００５６】
次に、同期再生制御部４２は、受信部４４から符号化映像データの受信開始通知を受け取ると、ステップ４０２と同じマルチビュー再生ファイルＵＲＬを、ネットワーク（Ｂ）３１を介して、全スレーブ再生端末へ通知する指示を送信部４３へ送る（ステップＳ４１５）。送信部４３は、同期再生制御部４２からステップ４０２と同じマルチビュー再生ファイルＵＲＬを、全スレーブ再生端末へ通知する指示を受け取り、受け取ったマルチビュー再生ファイルＵＲＬを、ネットワーク（Ｂ）３１を介して全スレーブ再生端末５０（６０、７０）へ送信する（ステップＳ４１６）。
【００５７】
スレーブ再生端末５０（６０、７０）において、受信部５４は、ネットワーク（Ｂ）３１を介して、マスタ再生端末４０からマルチビュー再生ファイルＵＲＬを受け取り、該マルチビュー再生ファイルＵＲＬを同期再生制御部５２へ送る（ステップＳ４１７）。スレーブ再生端末５０（６０、７０）の同期再生制御部５２は、受信部５４からマルチビュー再生ファイルＵＲＬを受け取り、該マルチビュー再生ファイルＵＲＬを送信部５３へ送る（ステップＳ４１８）。スレーブ再生端末５０（６０、７０）の送信部５３は、同期再生制御部５２からマルチビュー再生ファイルＵＲＬを受け取り、受け取ったＵＲＬのマルチビュー再生ファイル配信要求を、ネットワーク（Ａ）３０を介して配信サーバ２０へ送る（ステップＳ４１９）。
【００５８】
配信サーバにおいて、受信部２１は、ネットワーク（Ａ）３０を介して、スレーブ再生端末５０（６０、７０）からマルチビュー再生ファイルＵＲＬを受信し、再生データ保存部２２へ送る（ステップＳ４２０）。再生データ保存部２２は、受信部２１からマルチビュー再生ファイルＵＲＬを受け取り、受け取ったＵＲＬのマルチビュー再生ファイルを要求された数だけ読み出し、送信部２３へ送信する（ステップＳ４２１）。送信部２３は、再生データ保存部２２からマルチビュー再生ファイルを要求数だけ受け取り、受け取ったマルチビュー再生ファイルを、ネットワーク（Ａ）３０を介して、スレーブ再生端末５０（６０、７０）へ送信する（ステップＳ４２２）。
【００５９】
スレーブ再生端末５０（６０、７０）において、受信部５４は、ネットワーク（Ａ）３０を介して、配信サーバ２０からマルチビュー再生ファイルを受信し、同期再生制御部５２へ送る（ステップＳ４２３）。次に、スレーブ再生端末５０（６０、７０）において、同期再生制御部５２は、受信部５４からマルチビュー再生ファイルを受け取ると、マルチビュー再生ファイルの中に記載されているコンテンツＵＲＬの符号化映像データの配信要求を、送信部５３へ送り、また、マルチビュー再生ファイルを復号部５５へ送る（ステップＳ４２４）。送信部５３は、同期再生制御部５２から符号化映像データの配信要求を受け取り、受け取った符号化映像データの配信要求を、ネットワーク（Ａ）３０を介して、配信サーバ２０へ送る（ステップＳ４２５）。
【００６０】
配信サーバ２０において、受信部２１は、ネットワーク（Ａ）３０を介して、スレーブ再生端末５０（６０、７０）から符号化映像データの配信要求を受信し、受け取った符号化映像データの配信要求を再生データ保存部２２へ送る（ステップＳ４２６）。再生データ保存部２２は、受信部２１から符号化映像データ配信要求を受け取り、要求された符号化映像データを要求数だけ読み出し、送信部２３へ送る（ステップＳ４２７）。送信部２３は、再生データ保存部２２から送られた符号化映像データを要求数受け取り、受け取った符号化映像データを、ネットワーク（Ａ）３０を介して、スレーブ再生端末５０（６０、７０）へ送信する（ステップＳ４２８）。
【００６１】
スレーブ再生端末５０（６０、７０）において、受信部５４は、配信サーバ２０の送信部２３から送信された符号化映像データを、ネットワーク（Ａ）３０を介して受け取り、符号化映像データ受信開始を、同期再生制御部５２へ通知し、さらに、復号部５５へ符号化映像データのナビゲーション符号化映像データとメイン符号化映像データとを、それぞれ１ＧＯＰのみ送る（ステップＳ４２９）。このとき、復号部５５は、まだ復号しない。スレーブ再生端末５０（６０、７０）において、受信部５４は、バッファ残量から配信制御を行っているため、受信バッファが溢れることはない。
【００６２】
同期再生制御部５２は、受信部５４から符号化映像データ受信開始通知を受け取り、受け取った符号化映像データ受信開始通知を、送信部５３へ送る（ステップ４３０）。送信部５３は、同期再生制御部５２から符号化映像データ受信開始通知を受け取り、受け取った符号化映像データ受信開始通知を、ネットワーク（Ｂ）３１を介して、マスタ再生端末４０へ送る（ステップＳ４３１）。
【００６３】
マスタ再生端末４０において、受信部４４は、スレーブ再生端末５０（６０、７０）からネットワーク（Ｂ）３１を介して符号化映像データ受信開始通知を受け取り、受け取った符号化映像データ受信開始通知を、同期再生制御部４２へ送る（ステップＳ４３２）。同期再生制御部４２は、受信部４４からスレーブ再生端末５０（６０、７０）の符号化映像データ受信開始通知を受け取り、全てのスレーブ再生端末５０（６０、７０）から符号化映像データ受信開始通知を受け取ると、再生領域情報を作成し、各スレーブ再生端末５０（６０、７０）へ各再生領域情報を通知する指示を、送信部４３へ送り、また、復号部４５へマスタ再生領域情報を送る（ステップ４３３）。
【００６４】
再生領域情報は、マルチビュー再生ファイルに記載されている分割数を基にスレーブ再生端末ＩＰアドレス一覧表の上から順番に各端末の再生領域を割り振ることで作成する。割り振り方は、図５に示すように、マスタ再生端末は、常に左上角、各スレーブ再生端末５０（６０、７０）の再生は、ラスタスキャン順となる。すなわち、マスタ再生端末４０は、４等分割の左上角、スレーブ再生端末５０は、４等分割の右上、スレーブ再生端末６０は、４等分割の左下、スレーブ再生端末７０は、４等分割の右下である。
【００６５】
マスタ再生端末４０の送信部４３は、同期再生制御部４２から各スレーブ再生端末５０（６０、７０）へ各再生領域情報を通知する指示を受け取り、各スレーブ再生端末５０（６０、７０）へネットワーク（Ｂ）３１を介して各再生領域情報を送信する（ステップ４３４）。
【００６６】
スレーブ再生端末５０（６０、７０）において、受信部５４は、マスタ再生端末４０から自端末の再生領域情報を、ネットワーク（Ｂ）３１を介して受け取り、受け取った自端末の再生領域情報を、同期再生制御部５２へ送る（ステップ４３５）。同期再生制御部５２は、自端末の再生領域情報を受け取ると、復号部５５へ送り、また、再生領域情報受け取り通知を送信部５３へ送る（ステップ４３６）。送信部５３は、同期再生制御部５２から再生領域情報受け取り通知を受け取り、ネットワーク（Ｂ）３１を介して、該再生領域情報受け取り通知をマスタ再生端末４０へ送る（ステップ４３７）。
【００６７】
マスタ再生端末４０において、受信部４４は、スレーブ再生端末５０（６０、７０）から再生領域情報受け取り通知を、ネットワーク（Ｂ）３１を介して受け取り、受け取った再生領域情報受け取り通知を、同期再生制御部４２へ送る（ステップ４３８）。同期再生制御部４２は、受信部４４から再生領域情報受け取り通知を受け取り、全てのスレーブ再生端末５０、６０、７０から再生領域情報受け取り通知を受け取ると、電波時計４７の時刻を確認し、確認したその時刻Ｔ１にマスタ再生端末４０からスレーブ再生端末５０、６０、７０へ復号化開始指示が届くまでの最大の時間Ｔ２を加えた復号化開始時刻Ｔ＝Ｔ１＋Ｔ２を算出し、さらに、該復号化開始時刻Ｔを全スレーブ再生端末５０、６０、７０へ送る指示を、送信部４３へ出す（ステップ４３９）。
【００６８】
なお、マスタ再生端末４０からスレーブ再生端末５０、６０、７０へ復号化開始指示が届くまでの最大の時間Ｔ２は、予め設定されているものとする。この設定方法としては、マスタ再生端末４０からスレーブ再生端末５０、６０、７０へテストパケットを送信し、各スレーブ再生端末５０、６０、７０からマスタ再生端末４０へ回答パケットが戻る時間を計測して設定する。
【００６９】
マスタ再生端末４０において、同期再生制御部４２は、電波時計４７を確認し、復号化開始時刻Ｔになった時、復号部４５へ復号化開始指示を送り、さらに、同期再生制御部４２は、受信部４４へ、符号化映像データの復号部４５への送信開始指示を送る（ステップ４４０）。
【００７０】
次に、マスタ再生端末４０において、復号部４５は、同期再生制御部４２から復号化開始を受け取ると、ナビゲーション符号化映像データの復号化と、初期値の選択領域情報とマスタ再生領域情報とに基づくメイン符号化映像データの復号化とを開始し（選択領域情報とマスタ再生領域情報とを基に復号化したメイン映像は、図４で示すマスタ再生領域より大きいサイズとなる）、さらに、マスタ再生領域値に基づいて、マスタ再生領域を切り出し、このメイン映像のマスタ再生領域映像とナビゲーション映像全体とを、表示部４６へ送り、さらに、復号化したナビゲーション映像から、マルチビュー再生ファイルのシナリオ１、シナリオ２のシナリオに沿って各選択領域情報に基づいてシナリオ１、２の映像を切り出してサムネイル化し、該サムネイル化したシナリオ１、２の映像を、表示部４６に送る（ステップ４４１）。マスタ再生端末４０において、表示部４６は、復号部４５で復号化したナビゲーション映像全体、メイン映像のマスタ再生領域映像、及びサムネイル化したシナリオ１，２の映像を受け取り、再生を開始する（ステップ４４２）。
【００７１】
一方、マスタ再生端末４０の送信部４３は、同期再生制御部４２から全再生端末４０、５０（６０、７０）の電波時計４７（５７など）が復号化開始時刻Ｔになったときに復号部４５、５５へ復号化開始を送る指示を受け取ると、ネットワーク（Ｂ）３１を介して、該指示を全スレーブ再生端末５０、６０、７０へ送信する（ステップＳ４４３）。
【００７２】
次に、スレーブ再生端末５０（６０、７０）の受信部５４は、マスタ再生端末４０からネットワーク（Ｂ）３１を介して受け取った、復号化開始時刻Ｔになったときに復号化開始を復号部５５へ送る指示を、同期再生制御部５２へ送る（ステップ４４４）。次に、スレーブ再生端末５０（６０、７０）の同期再生制御部５２は、受信部５４から復号化開始時刻Ｔになったときに復号化開始を復号部５５へ送る指示を受け取ると、電波時計５７を確認し、電波時計５７が復号化開始時刻Ｔになると、復号部５５へ復号化開始指示を送り、さらに、受信部５４へ、符号化映像データの復号部５５への送信開始指示を送る（ステップＳ４４５）。
【００７３】
スレーブ再生端末５０（６０、７０）の復号部５５は、同期再生制御部５２から復号化開始指示を受け取ると、初期値の選択領域情報とスレーブ再生端末５０（６０、７０）それぞれの自端末の再生領域情報とに基づくメイン符号化映像データの復号化と、ナビゲーション符号化映像データとの復号化を開始し（選択領域情報と再生領域情報とに基づいて復号化したメイン映像は、図４に示すスレーブ再生領域より大きいサイズとなる）、スレーブ再生端末５０（６０、７０）の再生領域値に基づいて、それぞれのスレーブ再生領域映像を切り出し、このメイン映像のスレーブ再生領域映像とナビゲーション映像全体とを、表示部５６へ送り、さらに、復号化したナビゲーション映像から、マルチビュー再生ファイルのシナリオ１、シナリオ２のシナリオに沿って各選択領域情報に基づいてシナリオ１、２の映像を切り出してサムネイル化し、該サムネイル化したシナリオ１、２の映像を、表示部５６に送る（ステップＳ４４６）。
【００７４】
スレーブ再生端末５０（６０、７０）の表示部５６は、復号部５５から復号化したナビゲーション映像全体、スレーブ再生端末５０（６０、７０）のメイン映像のスレーブ再生領域映像、サムネイル化したシナリオ１、２の映像を受け取り、再生を開始する（ステップ４４７）。
【００７５】
そして、マスタ再生端末４０が再生停止を実行したか否かを判定し（ステップ４４８）、マスタ再生端末４０が再生停止を実行すると、全スレーブ再生端末５０、６０、７０も再生を停止する。
【００７６】
図１３及び図１４は、本実施形態の動作（シナリオによる分割再生）を説明するためのフローチャートである。ユーザが、マスタ再生端末４０の表示部４６にストリーム再生中のサムネイル化されたシナリオ１またはシナリオ２のいずれかを選択すると、マスタ再生端末４０の表示部４６は、選択されたシナリオ選択情報を再生要求部４１に送る（ステップ５０１）。以下では、シナリオ１が選択されたものとする。
【００７７】
次に、マスタ再生端末４０の再生要求部４１は、表示部４６からシナリオ１選択情報を受け取ると、受け取ったシナリオ１選択情報を、同期再生制御部４２に送る（ステップ５０２）。同期再生制御部４２は、選択されたシナリオ１選択情報を再生要求部４１から受け取り、受け取ったシナリオ１選択情報を復号部４５へ送り、また、受け取ったシナリオ１選択情報をＴＣＰ／ＩＰ接続した全スレーブ再生端末５０（６０、７０）へ通知する指示を、送信部４３へ送る（ステップ５０３）。
【００７８】
次に、マスタ再生端末４０の復号部４５は、復号化されたこれから表示する映像の再生時間とシナリオ１に記載されている再生時間とから、これに対応する選択領域情報を取得し、ナビゲーション符号化映像データの復号化と、選択領域情報とマスタ再生領域情報を基にメイン符号化映像データの復号化とを行い（復号化したメイン映像は、図４で示すマスタ再生領域より大きいサイズとなる）、再生領域値を基にマスタ再生領域を切り出し、このメイン映像のマスタ再生領域映像と、ナビゲーション映像全体とを表示部４６へ送り、さらに、復号化したナビゲーション映像から、シナリオ１、シナリオ２のシナリオに沿って各選択領域情報を基に、シナリオ１、２の映像を切り出してサムネイル化し、該サムネイル化したシナリオ１、２の映像を表示部４６に送る（ステップＳ５０４）。
【００７９】
次に、マスタ再生端末４０の表示部４６は、ナビゲーション映像全体、シナリオ１のメイン映像のマスタ再生領域映像、サムネイル化したシナリオ１、２の映像を受け取り、再生を開始する（ステップＳ５０５）。そして、マスタ再生端末４０が再生停止を実行したか否かを判定し（ステップ５１１）、再生停止を実行した場合、全スレーブ再生端末５０、６０、７０も再生を停止する。
【００８０】
一方、マスタ再生端末４０の送信部４３は、同期再生制御部４２からシナリオ１選択情報を全スレーブ再生端末５０、６０、７０へ通知する指示を受け取り、ネットワーク（Ｂ）３１を介して、全スレーブ再生端末５０、６０、７０へ送信する（ステップＳ５０６）。次に、スレーブ再生端末５０（６０、７０）の受信部５４は、ネットワーク（Ｂ）３１を介して、マスタ再生端末４０からシナリオ１選択情報を受け取り、受け取ったシナリオ１選択情報を、同期再生制御部５２へ送る（ステップＳ５０７）。
【００８１】
次に、スレーブ再生端末５０（６０、７０）の同期再生制御部５２は、受信部５４からシナリオ１選択情報を受け取り、復号部５５へ送る（ステップＳ５０８）。スレーブ再生端末５０（６０、７０）の復号部５５は、復号化されたこれから表示する映像の再生時間とシナリオ１に記載されている再生時間とから、これに対応する選択領域情報を取得し、ナビゲーション符号化映像データの復号化と、選択領域情報とスレーブ５０（６０、７０）の再生領域情報を基にメイン符号化映像データの復号化とを行い（復号化したメイン映像は、図４で示すマスタ再生領域より大きいサイズとなる）、さらに、再生領域値を基にスレーブ５０（６０、７０）の再生領域を切り出し、このスレーブ５０（６０、７０）のメイン映像の再生領域映像とナビゲーション映像全体とを、表示部５６へ送り、さらに、復号化したナビゲーション映像から、シナリオ１、シナリオ２のシナリオに沿って各選択領域情報を基に、シナリオ１、２の映像を切り出してサムネイル化し、該サムネイル化したシナリオ１、２の映像を表示部５６に送る（ステップＳ５０９）。
【００８２】
次に、スレーブ再生端末５０（６０、７０）の表示部５６は、ナビゲーション映像全体、シナリオ１のスレーブ５０（６０、７０）のメイン映像の再生領域映像、サムネイル化したシナリオ１、２の映像を受け取り、再生を開始する（ステップＳ５１０）。
【００８３】
そして、マスタ再生端末４０が再生停止を実行したか否かを判定し（ステップ５１１）、マスタ再生端末４０が再生停止を実行すると、全スレーブ再生端末５０、６０、７０も再生を停止する。
【００８４】
図１５及び図１６は、本実施形態による、再生端末間の同期制御の動作を説明するためのフローチャートである。マスタ再生端末４０、及びスレーブ再生端末５０（６０、７０）の同期再生制御部４２、５２は、それぞれの電波時計４７、５７を確認し、復号化開始時刻Ｔになった時、それぞれの復号部４５、５５へ復号化開始を送り、さらに、符号化映像データの復号部への送信開始を、それぞれの受信部４４、５４へ送る（ステップＳ６０１）。
【００８５】
次に、マスタ再生端末４０、及びスレーブ再生端末５０（６０、７０）の復号部４５、５５は、それぞれの同期再生制御部４２、５２から復号化開始を受け取り、ナビゲーション符号化映像データの復号化と、選択領域情報と再生領域情報を基にメイン符号化映像データの復号化とを開始する（ステップＳ６０２）。
【００８６】
次に、マスタ再生端末４０、及びスレーブ再生端末５０（６０、７０）の復号部４５、５５は、それぞれの電波時計を確認し、電波時計の指定した時間毎に復号化したメイン映像の再生時間を確認し、確認した時の電波時計時間とその時のメイン映像の再生時間とをそれぞれの同期再生制御部４２、５２へ送る（ステップＳ６０３）。再生時間とは、復号部４５、５５から表示部４６、５６へ送ったメイン映像の再生時間である。確認時間の間隔は、事前に設定しておく。但し、復号化された次に再生すべきナビゲーション映像とメイン映像が揃った時点で表示部４６、５６へ送っているため、どちらの映像を用いてもよい。
【００８７】
次に、スレーブ再生端末５０（６０、７０）の同期再生制御部５２は、復号部５５から確認した時の電波時計の時間とメイン映像の再生時間とを受け取り、送信部５３へ送り、また、マスタ再生端末４０の同期再生制御部４２は、復号部４５から確認した時の電波時計の時間とメイン映像の再生時間とを受け取り、これを保持する（ステップＳ６０４）。
【００８８】
スレーブ再生端末５０（６０、７０）の送信部５３は、同期再生制御部５２から、確認した時の電波時計の時間とメイン映像の再生時間を受け取り、ネットワーク（Ｂ）３１を介してマスタ再生端末４０へ送信する（ステップＳ６０５）。次に、マスタ再生端末４０の受信部４４は、スレーブ再生端末５０（６０、７０）からネットワーク（Ｂ）３１を介して、確認した時の電波時計の時間とその時のメイン映像の再生時間とを受け取り、同期再生制御部４２へ送る（ステップＳ６０６）。
【００８９】
マスタ再生端末４０の同期再生制御部４２は、受信部４４からスレーブ再生端末５０（６０、７０）の確認した時の電波時計の時間とメイン映像の再生時間とを受け取ると、マスタ再生端末４０とスレーブ再生端末５０（６０、７０）の確認した時の電波時計の時間からメイン映像の再生時間を比較し、その結果を送信元のスレーブ再生端末５０（６０、７０）へ送る指示を、送信部４３へ送る（ステップＳ６０７）。次に、マスタ再生端末４０の送信部４３は、同期再生制御部４２から比較結果を受け取り、受け取った比較結果を送信元のスレーブ再生端末５０（６０、７０）へネットワーク（Ｂ）３１を介して送信する（ステップＳ６０８）。
【００９０】
次に、スレーブ再生端末５０（６０、７０）の受信部５４は、マスタ再生端末４０からネットワーク（Ｂ）３１を介して比較結果を受け取り、受け取った比較結果を同期再生制御部５２へ送る（ステップＳ６０９）。スレーブ再生端末５０（６０、７０）の同期再生制御部５２は、受信部５４から比較結果を受け取り、復号部５５へ送る（ステップＳ６１０）。
【００９１】
次に、スレーブ再生端末５０（６０、７０）の復号部５５は、比較結果を受け取り、受け取った比較結果がマスタ再生端末４０と再生時間が同じならば、そのまま再生を続け、また、比較結果がマスタ再生端末４０より再生遅れの場合、遅れている時間分ジャンプ再生し、また、比較結果がマスタ再生端末４０より再生が進んでいる場合、先に進んでいる時間分再生を停止する指示を、表示部５６へ送る（ステップＳ６１１）。
【００９２】
そして、マスタ再生端末４０が再生停止を実行したか否かを判定し（ステップＳ６１２）、マスタ再生端末４０が再生停止を実行していなければ、ステップＳ６０３に戻り、一方、マスタ再生端末４０が再生停止を実行すると、全スレーブ再生端末５０（６０、７０）も再生を停止する（ステップＳ６１３）。
【００９３】
上述した実施形態によれば、処理負荷が高く１台の再生端末で再生が不可能な高解像度映像であっても、複数の再生端末に分割し、同期させて再生することができる。
【符号の説明】
【００９４】
１０  電波送信所
２０  配信サーバ
２１  受信部
２２  再生データ保存部
２３  送信部
３０  ネットワーク（Ａ）
３１  ネットワーク（Ｂ）
４０  マスタ再生端末
４１  再生要求部
４２  同期再生制御部
４３  送信部
４４  受信部
４５  復号部
４６  表示部
４７  電波時計
５０、６０、７０  スレーブ再生端末
５２  同期再生制御部
５３  送信部
５４  受信部
５５  復号部
５６  表示部
５７  電波時計
【図１】
0005455594.tif 000002
【図２】
0005455594.tif 000003
【図３】
0005455594.tif 000004
【図４】
0005455594.tif 000005
【図５】
0005455594.tif 000006
【図６】
0005455594.tif 000007
【図７】
0005455594.tif 000008
【図８】
0005455594.tif 000009
【図９】
0005455594.tif 000010
【図１０】
0005455594.tif 000011
【図１１】
0005455594.tif 000012
【図１２】
0005455594.tif 000013
【図１３】
0005455594.tif 000014
【図１４】
0005455594.tif 000015
【図１５】
0005455594.tif 000016
【図１６】
0005455594.tif 000017